(57)【特許請求の範囲】
【請求項１】
フィルム状のセルロースエーテルからなるオーバーヘッドプロジェクター用フィルムシートであって、上記セルロースエーテルが、アルキルセルロースと、ヒドロキシアルキルアルキルセルロースと、ヒドロキシアルキルセルロースとから選ばれ、上記フィルム状のセルロースエーテルの調製に用いるセルロースエーテルが、該セルロースエーテル０．１重量部と水９９．９重量部とを２０℃において混合して得られる水溶液２ｍｌ中において、繊維長８〜２００μｍの未溶解繊維の数が１０００個以下であることを特徴とするオーバーヘッドプロジェクター用フィルムシート。
【請求項２】
インクジェットプリンターによって印字又は印描することを特徴とする請求項１に記載のオーバーヘッドプロジェクター用フィルムシート。
【請求項３】
上記フィルム状のセルロースエーテルの調製に用いるセルロースエーテルが、該セルロースエーテル１００ｇを目開き１５０μｍの篩いで振とうした場合、篩い上の残存量が２５重量％以下であることを特徴とする請求項１または請求項２に記載のオーバーヘッドプロジェクター用フィルムシート。
【請求項４】
上記フィルム状のセルロースエーテルが、無機フィラーと、着色剤と、可塑剤と、界面活性剤と、有機バインダーとからなる一群から選ばれる添加物を含んでなる請求項１〜３のいずれかに記載のオーバーヘッドプロジェクター用フィルムシート。
【発明の詳細な説明】
【０００１】
【発明の属する技術分野】
本発明は、集会や会議等で使用するオーバーヘッドプロジェクター（以下、「ＯＨＰ」と略す。）装置により投影するために用いるフィルムシートに関するものである。
【０００２】
【従来の技術】
ＯＨＰ用の透明フィルムシートとしては、ポリエチレンテレフタレート等のポリエステル類からなる透明なフィルムシートが広く用いられている。
これらのポリエステルフィルムは、ゼロックス等の乾式複写においても容易に印字や印描ができる表面特性や耐熱特性を有しており強度も大きく保存安定性に優れている。
【０００３】
近年では、パーソナルコンピューターの普及により、会議や集会でのプレゼンテーション等の資料が容易に作成され、様々な色彩を施した資料も容易に作成可能となっている。
パーソナルコンピューターにより作成された資料は、近年液晶プロジェクター類によって、そのまま投影されプレゼンテーションに使用されるケースもあるが、未だインクジェット印字形式のプリンターにより色彩を添えた資料として通常の白色紙に印字した後に、カラー用の複写機によって専用のポリエステルフィルムシートに複写するか、これらのポリエステルフィルムに印字可能なプリンターにより印字又は印描してＯＨＰ用の資料を準備することが行われている。これは、ポリエステルフィルムシートでは直接インクジェットインクが印字できないためであり、最近では、ポリエステルフィルムの上層にポリビニルアルコール類を含むインクジェットのインクの受理層を形成した多層の透明フイルムを用いて、カラーの複写機より安価なインクジェット印字装置によって、直接ＯＨＰ用の資料を作成することも行われている。
【０００４】
また、これらのポリエステルを基質とするフィルムは、上記のようにポリエステルのみでは透明性や保存安定性に優れるものの、一度使用して不溶となり廃棄を必要とした場合には、秘密性の高い資料の場合にあっては裁断等する必要があり、一般の白色紙による資料のようにリサイクル可能な廃棄物として仕分けできない状態で廃棄するしか方法が無かった。
【０００５】
【発明が解決しようとする課題】
本発明は、上記事情に鑑みなされたもので、乾式の複写にも、インクジェット印字や印描にも使用できるＯＨＰでの投影用の透明シートであって、インクジェットのインクの受理層を介在させなくても直接インクジェットインクが印字等することができ、使用後の廃棄にあっては、裁断する必要もなく機密が保持された状態で廃棄でき、かつ、一般の白色紙と同様にリサイクル可能な分類で廃棄できるＯＨＰ用フィルムシートを提供するものである。
【０００６】
【課題を解決するための手段】
本発明者らは、上記課題の解決のために鋭意検討した結果、一般の紙類の成分であるセルロースを基質とするセルロースエーテルから作られるフィルムシートは、インクジェット印字又は印描装置や乾式複写装置により印字又は印描が可能であり、使用に際してカールしたりすることがなく、インクジェットのインクの受理層を介在させなくても直接インクジェットインクが印字等することにより良好な投影が可能であり、吸湿性も少ないため安定であることを見出した。このように、セルロースエーテルから作られるＯＨＰ用フィルムシートを用いると直接インクジェット印字等をすることができるのは、一般にセルロースエーテルは、エーテル置換基とセルロース本来の構成分子中の親水基及び疎水基のバランスにより界面活性効果を有し、これによりセルロースエーテルをフィルムとした場合のインクの転着力が向上すると考えられる。また、使用後不要となれば水に浸すことで印字や印描部分を判読不能として廃棄することも可能であり、廃棄にあっては、水溶性セルロース水溶液はＢＯＤ（生物化学的酸素要求量）源にならず、可燃物ないしはリサイクル用の紙類と同様に分類して廃棄可能であることを見出し、本発明をなすに至ったものである。
【０００７】
【発明の実施の形態】
以下、本発明につき更に詳しく説明するが、本発明は以下の実施形態にのみ限定されるものではない。
本発明のセルロースエーテルとは、水溶性のメチルセルロース（ＭＣ）ごときアルキルセルロースや、ヒドロキシプロピルメチルセルロース（ＨＰＭＣ）、ヒドロキシエチルメチルセルロース（ＨＥＭＣ）、ヒドロキシエチルエチルセルロース（ＨＥＥＣ）のごときヒドロキシアルキルアルキルセルロース、さらにはヒドロキシプロピルセルロース（ＨＰＣ）、ヒドロキシエチルセルロース（ＨＥＣ）のごときヒドロキシアルキルセルロースやカルボキシメチルセルロースナトリウム（ＣＭＣ−Ｎａ）等が好ましく挙げられるが、これらに限定されるものではなく、セルロースをエーテル化することで水溶性とし、この水溶液を一定厚のみにキャストした後、乾燥するとフィルム状となる全てのセルロースエーテルを用いることができる。
【０００８】
具体的には、アルキルセルロースの場合、例えば、メトキシル基を１９〜３３重量％有するメチルセルロース、エトキシル基を７〜２５重量％有するエチルセルロース等が挙げられる。
また、ヒドロキシアルキルアルキルセルロースの場合、例えば、メトキシル基を１９〜３０重量％、ヒドロキシプロポキシル基を１３〜２０重量％有するヒドロキシプロピルメチルセルロース、メトキシル基を１９〜３０重量％、ヒドロキシエトキシル基を９〜２０重量％有するヒドロキシエチルメチルセルロース、エトキシル基を１１〜２１重量％、ヒドロキシエトキシル基を４０〜５７重量％有するヒドロキシエチルエチルセルロース等が挙げられる。
ヒドロキシアルキルセルロースの場合、例えば、ヒドロキシプロポキシル基を５０〜７０重量％有するヒドロキシプロピルセルロース、ヒドロキシエトキシル基を３０〜６０重量％有するヒドロキシエチルセルロース等が挙げられる。
カルボキシメチルセルロースナトリウム（ＣＭＣ−Ｎａ）の場合、例えば、１５〜５３重量％有するもの等が挙げられる。
なお、メトキシル基、エトキシル基、ヒドロキシプロポキシル基等の含有量は、日本薬局方による測定方法に基づく。一方、ヒドロキシエトキシル基の含有量は、P. W. Morgan, Eng. Chem. Anal. Ed., 1946, 18, pp500-511またはMerz., Z. Anal. Chem., 1967, 232, pp32-93に記載の方法に基づく。
【０００９】
本発明においてセルロースエーテルから調製されるフィルムは、透明性が高いことが必要である。透明性が低いとＯＨＰ装置により投影された画像が鮮明にならない問題が生じてしまう。このようなセルロースエーテルは、セルロースをＮａＯＨ等と混合して均一なアルカリセルロースとしてから、エーテル化試薬を均一に反応させ、水溶性とするに必要なエーテル置換度となるようにして製造できる。
置換度が不足していたり、均一な置換が行われていないで製造されたセルロースエーテルは、水に溶解しようとした場合、繊維長８〜２００μｍの未溶解な繊維状物が多数残存してしまうことになる。
この未溶解繊維状物の数は、セルロースエーテルが０．１重量％水溶液となるようにコールターカウンター用電解質水溶液ISOTON II(コールター社製）を用いて２０℃の恒温槽内で溶解し、この溶液２ｍｌ中に存在する繊維長８〜２００μｍの未溶解繊維数を径４００μｍのアパーチャーチューブを用いてコールターカウンターTA II型(コールター社製）又はマルチサイザー機により測定することができる。
ＯＨＰでの投影に使用した時、極めて鮮明な画像を投影できるフィルムを得るためのセルロースエーテルとしては、このようにして測定された未溶解繊維数が１０００個以下（零も含む。）であるものが好ましい。
【００１０】
本発明において用いられるセルロースエーテルは、セルロースエーテル１００ｇを目開き１５０μｍの篩いで振とうした場合、篩い上の残存量が２５重量％以下であることが好ましい。２５重量％を超えるとセルロースエーテルの溶解性が低下して未溶解繊維が多くなり、フィルムシートの透明性が低下する場合がある。
具体的には、ＪＩＳ  Ｚ８８０１に定められている標準篩いの１００号（目開き１５０μm）により関西金網社製４２９型ロータップ篩い振とう機によりセルロースエーテル粉１００ｇを振とう数２００回／分、打数１５６回／分、振とう幅５０ｍｍの条件で３０分間振とうした後の篩い上の残留物を測定する。
【００１１】
使用するセルロースエーテルの分子量としては、特に限定されないが、一般にフィルム形成能を有する重量平均分子量として１万以上に相当する２０℃における２重量％水溶液の粘度で３ｍＰａ・ｓ以上有することが好ましい。なお、当該粘度の測定は、日本薬局方に定められる粘度測定法に基づく。
【００１２】
本発明に記載したようなセルロースエーテルのフィルムの調製は、特公昭４５−２１１６号公報に記載されているように、セルロースエーテルの溶液をキャステイングして乾燥するような流延法や濃厚なセルロースエーテル溶液をフィルム状に押出成形した後に乾燥することにより行うことができる。
また、高温度の水溶液に溶解しない特徴をもつアルキルセルロースやヒドロキシアルキルアルキルセルロースにあっては、熱水中にセルロースエーテル粉末を高い濃度で分散させて後、キャステイングして冷却して後溶解し乾燥してフィルムを形成させる方法によってもフィルムが調製できる。
【００１３】
本発明のＯＨＰ用シートの厚みとしては、特に限定しないが、薄ずきると耐久性が悪く、厚すぎると透明性や取り扱いがしにくくなるため、５〜２００μｍ、特に１０〜１００μｍ程度が好ましい。
【００１４】
さらに、本発明の目的を害しない範囲で、皮膜が形成できる程度のセラミック等の無機フィラー、食紅、メチルオレンジ、メチルレット等の着色剤、グリセリン等の多価アルコール系の可塑剤や界面活性剤、ポリビニルアルコール、ポリアクリル酸ソーダ、ポリアクリルアミド等の有機バインダー等を添加することもできる。
【００１５】
【実施例】
以下、本発明を実施例及び比較例により更に詳細に説明するが、本発明はこれらの実施例に限定されるものではない。
実施例１
１５０μｍの目開きを有するＪＩＳ  Ｚ８８０１記載の１０００号篩いにより、前述の条件で測定した篩い上粉体が１０重量％で、前述のコールターカウンターによる０．１重量％の水溶液の未溶解繊維分の数が６００個であるメトキシル基２９重量％、ヒドロキシプロポキシル基９重量％、２０℃における２重量％の粘度が５０ｍＰａ・ｓの信越化学工業社製のヒドロキシプロピルメチルセルロース（６０ＳＨ−５０）の３重量％水溶液を調製した。これを３０ｃｍ ×２２ｃｍのガラス製の型枠に２７ｇ流し込み、７０℃で１０時間乾燥してフィルムを形成して、型枠から引き剥がして厚み１０μｍのフィルムを調製した。
このフィルムをインクジェットプリンターＢＪＣ−３５ｖ（キャノン社製）にセットし、赤、黄色、青からなる数表とグラフを印字又は印描し、ＯＨＰにより投影した。投影は鮮明であり、白紙に印字又は印描したものを乾式カラーコピー装置（キャノン社製PIXEL）にてポリエステルフィルムに転写したものの投影と同様の鮮明度であった。
また、ポリエステルフィルムに変えて調製したヒドロキシプロピルセルロースフィルムにて同様に乾式カラーコピーしたシートも同様に鮮明な投影が可能であった。
投影したシートを水中に浸したところ、シート表面の一部は溶解し画像の判読はできなかった。水中より回収したシートは乾燥したものは、シワがよったシートとなったが、新聞紙類と同様の分類で廃棄可能な状態となった。
【００１６】
実施例２
メトキシル基２９重量％の信越化学工業社製メチルセルロースを使った以外は実施例１と同様にしてフィルムを成形し、ＯＨＰで印字又は印描部分の投影の鮮明度を評価したところ実施例１と同様に鮮明であった。シートは、実施例１と同様に水中で判読不能の状況となり廃棄可能な状況にできた。
【００１７】
実施例３
ヒドロキシプロポキシル基６５重量％の日本曹達社製ヒドロキシプロピルセルロース（商品名Ｌ）を用いて実施例１と同様にフィルムを調製し評価した。実施例１と同様な評価となった。
【００１８】
比較例１
信越化学工業社製のポリビニルアルコール（ＰＡ０５Ｓ）の３重量％水溶液より実施例１と同様にして厚み約１０μｍの透明シートを調製し、印字又は印描を試みたところ、インクジェット印刷機により印字又は印描したシートも乾式カラーコピーにより印字又は印描したシートのいずれも大きくカールしてしまった。また、ＯＨＰにより鮮明な映像を得ることが困難であった。さらに、シートを放置しておくと、軟らかくなって粘着性が増して取り扱い中に指紋がつきやすい状態となった。
【００１９】
【発明の効果】
本発明のＯＨＰ用のフィルムシ−トによれば、インクジェット印字又は印描装置や乾式複写装置により印字又は印描が可能であり、使用に際してカールしたりすることがなく、インクジェットのインクの受理層を介在させなくても直接インクジェットインクが印字等することにより良好な投影が可能であり、吸湿性も少ないため安定である。また、紙の成分であるセルロースを原料としているため、使用後に不要となれば水に浸すことにより印字や印描部分を判読不能として廃棄することも可能であり、廃棄にあっては水溶性セルロース水溶液はＢＯＤ源にならず、可燃物ないしはリサイクル用の紙類と同様に分類して廃棄することができる。また、従来のＯＨＰ用のフィルムシ−トは、表面処理された面のみを選んで使用する不便があるが、本発明のＯＨＰ用のフィルムシ−トは、その使用の態様によってはいずれの面を選んで使用してもよい利点を有する。